(57)【要約】      （修正有）【課題】凝りや筋肉疲労等を軽減又は解消し、更に固着手段を具備し、簡単にズボン、下着等に係止できる磁気治療器を提供する。【解決手段】シリコンゴムを主材料とし粉末状のゲルマニウム及び遠赤外線放射材料を混入してシート状に成形し磁石３を埋設した磁気弾性シート２と、フック部４ｃを有する係止具４とを固着したことを特徴とする。磁気とゲルマニウムの陰イオンとジルコニウム等の遠赤外線放射材料の３種の物理作用の相乗効果により、凝りや筋肉疲労等を軽減又は解消することができる。また、シリコンゴムを主材料とすることで、衛生的かつ安全であり、かゆみ・かぶれ・蒸れを解消することができる。【選択図】図１
0003147875.tif 000002
【実用新案登録請求の範囲】
【請求項１】
シリコンゴムを主材料とし粉末状のゲルマニウム及び遠赤外線放射材料を混入してシート状に成形し磁石を埋設した磁気弾性シートと、フック部を有する係止具とを固着したことを特徴とする磁気治療器。
【請求項２】
粉末状の遠赤外線放射材料にジルコニウムを使用したことを特徴とする請求項１に記載の磁気治療器。
【請求項３】
係止具におけるフック部を有する側の取付面に配置した弾性シートと、対向する面における磁気弾性シートとによって係止具における取付面を狭持して固着したことを特徴とする請求項１又は請求項２に記載に磁気治療器。
【請求項４】
磁気弾性シートの一端面に突起部を具備したことを特徴とする請求項１、請求項２又は請求項３に記載の磁気治療器。
【考案の詳細な説明】
【技術分野】
【０００１】
本考案は、血行を良好なものとし、肩、腰等の凝りを解消する磁気治療器に関するものである。
【背景技術】
【０００２】
従来から、磁石等の磁気を利用し、血行を良好なものとし、肩、腰等の凝りを解消する磁気治療器が公知である。
例えば、一辺が数センチメートルの長方形や円形等の任意形状の指圧代用具本体は布や合成樹脂製で、表面に球状やボタン状の磁石やゲルマニウム等の希土類を一個若しくは数個設置し、側面や背面の任意位置に係止用フックを設けた指圧代用具が公知である（例えば、特許文献１参照）。
また、シリコンを主材としゲルマニウムを混入した貼付パッドに磁石を埋設した磁気治療器も公知である（例えば、特許文献２参照）。
【特許文献１】特開平１０−２２５４９７号公報
【特許文献２】特開２００５−３２８９０７号公報
【０００３】
特許文献１に記載の指圧代用具は、ブラジャーやスリップに使用する場合には、本体は円形や方形状で肩紐に隠れる程度の幅で両端に係止用フックを設けた形状のものを肩紐に係止すれば外から見えにくくなり、本体が布や合成樹脂製で体表の曲線に沿った形状となり、本体表面を肌に密着させて磁気により指圧効果が得られるものである。また、下着の肩口に使用する場合の本体は任意形状のデザインで肩口に係止して本体表面を肌に密着させて、磁気により指圧効果が得られるものであり、簡単に下着に係止できるので手軽に使用できるものである。
しかし、磁石にはニッケルメッキや金メッキなどが施されており、これらの金属と汗によって皮膚がかぶれる虞がある。
【０００４】
特許文献２に記載の磁気治療器は、シリコンを主成分とした素材を用いることで、衛生的かつ安全であり、かゆみ・かぶれ・蒸れを解消することができ、貼付パッドは、水または中性洗剤でもみ洗いすることで何度も使用できるので、繰返し使用性を高くすることができる。また、磁石を貼付パッド中に埋設しているので、繰返し使用をする度に磁石の取り外しや取付けをする必要がなく、使い勝手を良くすることができ、ゲルマニウムを混入することで、血液を浄化し、コレステロールを分解し、新陳代謝を促進することができるものである。
一方、貼付パッドは円形等の形状とするのみで、皮膚若しくは下着等への固着手段を具備していないことから、設置した箇所から剥がれ落ちてしまう虞がある。
【考案の開示】
【考案が解決しようとする課題】
【０００５】
そこで、本考案はこのような問題点を解決するものであって、衛生的かつ安全であり、かゆみ・かぶれ・蒸れを解消するとともに、固着手段を具備し、簡単にズボン、下着等に係止できる磁気治療器を提供することを課題とする。
【課題を解決するための手段】
【０００６】
前記問題点を解決するために、本考案の請求項１に記載の考案の磁気治療器は、シリコンゴムを主材料とし粉末状のゲルマニウム及び遠赤外線放射材料を混入してシート状に成形し磁石を埋設した磁気弾性シートと、フック部を有する係止具とを固着したことを特徴とするものである。
【０００７】
また、本考案の請求項２に記載の考案の磁気治療器は、請求項１に記載の磁気治療器において、粉末状の遠赤外線放射材料にジルコニウムを使用したことを特徴とするものである。
【０００８】
また、本考案の請求項３に記載の考案の磁気治療器は、請求項１又は請求項２に記載の磁気治療器において、係止具におけるフック部を有する側の取付面に配置した弾性シートと、対向する面における磁気弾性シートとによって係止具における取付面を狭持して固着したことを特徴とするものである。
【０００９】
また、本考案の請求項４に記載の考案の磁気治療器は、請求項１、請求項２又は請求項３に記載の磁気治療器において、磁気弾性シートの一端面に突起部を具備したことを特徴とするものである。
【考案の効果】
【００１０】
請求項１及び請求項２に記載の磁気治療器に係る考案では、シリコンゴムを主材料とし粉末状のゲルマニウム及びジルコニウム等の遠赤外線放射材料を混入してシート状に成形し磁石を埋設した磁気弾性シートとしたことから、磁気とゲルマニウムの陰イオンとジルコニウム等の遠赤外線放射材料の３種の物理作用の相乗効果により、凝りや筋肉疲労等を軽減又は解消することができる。また、シリコンゴムを主材料とすることで、衛生的かつ安全であり、かゆみ・かぶれ・蒸れを解消することができる。
更に、磁気弾性シートとフック部を有する係止具とを固着したことから、磁気治療器の脱着を容易に行うことができる。また、磁気弾性シートを係止具から取り外すことで、水または中性洗剤でもみ洗いすることで何度も使用でき、経済的である。更に、磁石を磁気弾性シート中に埋設しているので、繰返し使用をする度に磁石の取り外しや取付けをする必要がなく、使い勝手を良くすることができる。
【００１１】
請求項３に記載の磁気治療器に係る考案では、請求項１又は請求項２に記載の磁気治療器において、係止具におけるフック部を有する側の取付面に配置した弾性シートと、対向する面における磁気弾性シートとによって係止具における取付面を狭持して固着したことから、ズボン等におけるウエスト部等の取付対象物の取付箇所との摩擦力を増加させることができるので、不用意な落下等を防止することができる。
【００１２】
請求項４に記載の磁気治療器に係る考案では、請求項１、請求項２又は請求項３に記載の磁気治療器において、磁気弾性シートの一端面に突起部を具備したことから、ツボを刺激する際に効果的である。
【考案を実施するための最良の形態】
【００１３】
以下、本考案の実施の形態における磁気治療器を図面に基づいて説明する。図１は、本考案の磁気治療器における各構成部品の斜視図である。図２は、本考案の磁気治療器における（ａ）拡大平面図、（ｂ）拡大正面図である。図３は、本考案の磁気治療器をズボンに取付けた際の後方斜視図である。図４は、本考案の磁気治療器をシャツに取付けた際の正面図である。図５は、本考案の別実施例における磁気治療器の（ａ）拡大平面図、（ｂ）拡大正面図である。図６は、本考案の別実施例における磁気治療器をスリップに取付けた際の正面図である。図７は、本考案の磁気治療器における更に別実施例の拡大正面図である。図８は、本考案の磁気治療器における更に別実施例の拡大正面図である。
【実施例】
【００１４】
本考案の磁気治療器１、８、１０について、図１乃至図８に基づいて説明する。
【００１５】
本願考案の実施の形態に係る磁気治療器１は、図１及び図２に示すように、シリコンゴムを主材料とし、粉末状のゲルマニウム及びジルコニウムを混入し、磁石３を埋設した磁気弾性シート２及び磁気弾性シート２を取り付ける係止具４から構成されている。
【００１６】
磁気弾性シート２は、図１及び図２に示すように、主材料とするシリコンゴム等の合成樹脂に粉末状のゲルマニウム及びジルコニウムを混入して、シート状に成形される。また、当該シートの端部には、係止具４へ取り付ける為の取付孔２ｃが設けられている。
【００１７】
ゲルマニウムは、３２度以上の熱を受けると、ゲルマニウム原子核の一番外側の起動を周遊している電子の一つが陰イオン電子となって外へ飛び出し、増幅、整流するという半導体の電子的性質を有している。
また、３２度以上の無機ゲルマニウムが人体の肌と接すると、血液の中に電子移動がなされ、人体の生体電流に接触し、ゲルマニウムの陰イオン電子反応作用等から、こりや痛みなどの原因となる神経細胞の電位バランスの乱れを正常に戻し、酸性状態やアルカリ性状態の血液を正常の血液を維持させる作用を有するとされている。
更に、科学的にも付加化合物をよく作り出す特性があり、その付加和合能力によって血管壁に付着しているコレストロール重合体を流動性のアルコール化合物に分解して排泄させる。
【００１８】
ジルコニウムは、常温で遠赤外線を放射し、優れた抗菌性があるので、細胞の活性化の促進により疲労回復、老化防止、美容促進、新陳代謝など健康増進に役立つとされ、身体や精神のリラクゼーション効果もあるとされている。また、本考案においては、同等の作用、効果を奏する遠赤外線放射材料となる黒鉛、トルマリン等のセラミック系材料を使用することもできる。
【００１９】
磁石３は、フェライト磁石、サマリウム・コバルト磁石、ネオジウム磁石等のいわゆる永久磁石から略円柱形状に形成され、図２（ｂ）に示すように、磁気弾性シート２の中に中心より外側面に当たる治療面２ａよりに埋設されている。磁力の強さに応じて、磁石３を複数個設けることができるのは勿論であり、磁極等の配列においても制限されるものではない。
【００２０】
係止具４は、図１及び図２（ｂ）に示すように、取付面４ａ、折曲部４ｂ及びフック部４ｃを有するよう金属板を折曲して形成される。取付面４ａは、磁気弾性シート２における外形と略同等若しくは僅かに大きくして形成される。折曲部４ｂは、後に説明するズボン６におけるウエスト部６ａの厚みと略同程度を有するもので、取付面４ａの一端部より折曲して形成される。また、フック部４ｃは、折曲部４ｂを更に折曲させ、断面形状を略く字状にして形成される。更に、フック部４ｃにおける端部と取付面４ａとの間は、ズボン６におけるウエスト部６ａを嵌挿し得る間隙４ｄを形成する。また、係止具４は、合成樹脂を一体に成形してもよいものである。
【００２１】
このようにして構成される磁気治療器１は、図１及び図２に示すようにして、磁気弾性シート２における治療面２ａと対向する取付面２ｂを係止具４におけるフック部４ｃを有しない側の取付面４ａと合致させた状態で、ねじ５にて固着して組み立てられる。
【００２２】
組み立てられた磁気治療器１は、図３に示すようにして、腰痛等の症状が感じられるズボン６のウエスト部６ａに装着して使用される。このとき、磁気弾性シート２における治療面２ａが肌と接触する側に配置して装着する。
【００２３】
また、磁気治療器１は、図４に示すようにして、首、肩凝り等の症状が感じられるシャツ７の首部７ａ、肩部７ｂに装着して使用される。同様にして、磁気弾性シート２における治療面２ａが肌と接触する側に配置して装着する。
【００２４】
更に、図５（ａ）に示すように、磁気弾性シート２における幅寸法、係止具４における幅寸法を短くすることで、磁気治療器８は、図６に示すようにして、首、肩凝り等の症状が感じられるスリップ９の紐部９ａに装着して使用される。同様にして、磁気弾性シート２における治療面２ａが肌と接触する側に配置して装着する。
【００２５】
以上、説明した本考案の実施例に係る磁気治療器１、８によれば、磁気とゲルマニウムの陰イオンとジルコニウムにおける遠赤外線の３種の物理作用の相乗効果により、凝りや筋肉疲労等を軽減又は解消することができる。
更に、シリコンゴムを主材料とすることで、衛生的かつ安全であり、かゆみ・かぶれ・蒸れを解消することができる。また、磁気弾性シート２は、係止具４から取り外すことで、水または中性洗剤でもみ洗いすることで何度も使用でき、経済的である。更に、磁石３を磁気弾性シート２中に埋設しているので、繰返し使用をする度に磁石３の取り外しや取付けをする必要がなく、使い勝手を良くすることができる。
また、係止具４を設けたことから、磁気治療器１の脱着を容易に行うことができる。
【００２６】
また、図７に示すように、磁気治療器１０における磁気弾性シート２の治療面２ａに突起部２ｄを設けることもでき、ツボを刺激する際に効果的である。
更に、図８に示すように、合成樹脂若しくは合成ゴム等からなる弾性シート９をフック部４ｃの有する側の取付面４ａから当接させて、係止具４及び磁気弾性シート２を同時に固着することで、ズボン６におけるウエスト部６ａ若しくはシャツ７における首部７ａ、肩部７ｂ若しくはスリップ９における紐部９ａとの摩擦力を増加させることができるので、磁気治療器１、８、１０の不用意な落下等を防止することができる。また、より摩擦力を向上させる為に、弾性シート１１に突起部を設けることもできる。
【００２７】
本考案における磁気治療器１、８、１０の使用は、上記実施例のズボン６、シャツ７、スリップ９に限られることなく、係止具４を引っ掛けることができるスカート等の衣服、ブラジャー、パンツ等の下着に使用できることはもちろんである。
【図面の簡単な説明】
【００２８】
【図１】本考案の磁気治療器における各構成部品の斜視図である。
【図２】本考案の磁気治療器における（ａ）拡大平面図、（ｂ）拡大正面図である。
【図３】本考案の磁気治療器をズボンに取付けた際の後方斜視図である。
【図４】本考案の磁気治療器をシャツに取付けた際の正面図である。
【図５】本考案の別実施例における磁気治療器の（ａ）拡大平面図、（ｂ）拡大正面図である。
【図６】本考案の別実施例における磁気治療器をスリップに取付けた際の正面図である。
【図７】本考案の磁気治療器における更に別実施例の拡大正面図である。
【図８】本考案の磁気治療器における更に別実施例の拡大正面図である。
【符号の説明】
【００２９】
１、８、１０  磁気治療器
２      磁気弾性シート
２ａ    治療面
２ｂ    取付面
２ｃ    取付孔
２ｄ    突起部
３      磁石
４      係止具
４ａ    取付面
４ｂ    折曲部
４ｃ    フック部
４ｄ    間隙
４ｅ    取付孔
５      ねじ
６      ズボン
６ａ    ウエスト部
７      シャツ
７ａ    首部
７ｂ    肩部
９      スリップ
９ａ    紐部
１１    弾性シート
【図１】
0003147875.tif 000003
【図２】
0003147875.tif 000004
【図３】
0003147875.tif 000005
【図４】
0003147875.tif 000006
【図５】
0003147875.tif 000007
【図６】
0003147875.tif 000008
【図７】
0003147875.tif 000009
【図８】
0003147875.tif 000010